(57)【要約】【課題】  カートリッジを押圧するに際して、カートリッジ主面の見映えを損なうことが無く、また摩耗粉の発生を抑制でき、更に、ＲＡＭカートリッジとＢＤカートリッジの両方について適正な押圧力で押圧することができるようにする。【解決手段】  カートリッジＣ１，Ｃ２に収容されたディスクの記録及び／又は再生を行い得る記録再生位置を有するとともに、カートリッジを載置するトレイ１０を記録再生位置に対応した第１位置と装置外部の第２位置との間で往復動可能に移送する移送手段を備え、少なくとも前記トレイが前記第１位置にある状態で、カートリッジをトレイに対して押圧するカートリッジ押圧機構であって、ディスクの情報記録層と平行な一対のカートリッジ主面Ｆ１，Ｆ２と、両カートリッジ主面の外縁部どうしを繋ぐカートリッジ側面Ｓ１，Ｓ２と、で形成されたカートリッジ稜部Ｒ１，Ｒ２を押圧することを特徴とする。【選択図】図５
2007310942.tif 000002
【特許請求の範囲】
【請求項１】
カートリッジに収容された情報記録媒体としてのディスクの記録及び／又は再生を行い得る記録再生位置を有するとともに、前記カートリッジを載置するトレイを前記記録再生位置に対応した第１位置と装置外部の第２位置との間で往復動可能に移送する移送手段を備え、少なくとも前記トレイが前記第１位置にある状態で、前記カートリッジを前記トレイに対して押圧するカートリッジ押圧機構であって、
前記ディスクの情報記録層と平行な一対のカートリッジ主面と、両カートリッジ主面の外縁部どうしを繋ぐカートリッジ側面と、で形成されたカートリッジ稜部を押圧することを特徴とするカートリッジ押圧機構。
【請求項２】
請求項１記載のカートリッジ押圧機構であって、
前記トレイが前記第２位置から装置内部に引き込まれて前記第１位置に至る移送中においても、前記カートリッジ稜部を押圧することを特徴とするカートリッジ押圧機構。
【請求項３】
請求項１又は２に記載のカートリッジ押圧機構であって、
カートリッジ押圧時に当該カートリッジ稜部に当接する当接部と、カートリッジ押圧時に該当接部を前記カートリッジ稜部に対して付勢する付勢手段とを備えている、
ことを特徴とするカートリッジ押圧機構。
【請求項４】
請求項３記載のカートリッジ押圧機構であって、
前記当接部の前記カートリッジ稜部に対する接触面は、前記カートリッジ主面に対して傾斜していることを特徴とするカートリッジ押圧機構。
【請求項５】
請求項１〜４の何れか一に記載のカートリッジ押圧機構であって、
前記トレイは、少なくとも厚さが異なる第１及び第２のカートリッジを選択的に載置させて、前記第１位置と前記第２位置との間で移送可能であり、
前記第１及び第２のカートリッジの何れについても前記カートリッジ稜部を押圧する前記接触面を備える、
ことを特徴とするカートリッジ押圧機構。
【請求項６】
請求項５記載のカートリッジ押圧機構であって、
少なくとも前記第１の位置において、前記第１カートリッジの稜部と前記第２カートリッジの稜部とを押圧する前記接触面は同一に設定されている、
ことを特徴とするカートリッジ押圧機構。
【請求項７】
カートリッジに収容された情報記録媒体としてのディスクの記録及び／又は再生を行い得る記録再生位置を有するとともに、前記カートリッジを載置するトレイを前記記録再生位置に対応した第１位置と装置外部の第２位置との間で往復動可能に移送する移送手段と、前記トレイが前記第１の位置において前記ディスクを回転駆動する回転手段と、前記ディスクに備える情報記録層に対し情報信号の授受を行う記録再生手段とを備えたディスク装置であって、
少なくとも前記トレイが前記第１位置にある状態で、前記カートリッジを前記トレイに対して押圧するカートリッジ押圧機構として、前記請求項１から請求項６の何れか一に記載のカートリッジ押圧機構を備えたことを特徴とするディスク装置。
【発明の詳細な説明】
【技術分野】
【０００１】
本発明は、例えば、映像用や音楽用あるいはコンピュータ・データ用等の情報記録媒体としてのディスクを収容したカートリッジを、当該ディスクの記録再生時などにカートリッジ移送用のトレイに対して押圧するカートリッジ押圧機構、及びかかるカートリッジ押圧機構を備えたディスク装置に関する。
【背景技術】
【０００２】
近年、情報の記録再生分野におけるディジタル化の進展は著しく、情報記録媒体としてのディスクについても、従来の音声のみをディジタル録音する用途から動画像と音声とをディジタル録画する用途へと、その用途の拡大が急速に進展しつつある。このため、ディスクの記録容量のより一層の増大と、より高速での安定した記録及び／又は再生を可能とする記録再生技術の確立とが求められている。尚、本明細書において、「（ディスクについて）記録及び／又は再生」とは、「（ディスクへの情報の）記録および（ディスクに記録された情報の）再生の少なくとも何れか一方」を簡略化して表現したものである。
【０００３】
上記のような要請の高まりの中で、情報信号をディジタルで記録再生できる大容量のディスク型情報記録媒体として、所謂、記録型ＤＶＤ（ディジタル・バーサタイル・ディスク）が脚光を浴びている。この記録型ＤＶＤとしては、ライトワンス記録（一回記録）タイプの所謂ＤＶＤ−Ｒディスクと、書換型の所謂ＤＶＤ−ＲＡＭディスク，ＤＶＤ−ＲＷディスクとが、広く知られており、この中でも特にＤＶＤ−ＲＡＭディスクは、大容量の情報記録媒体として、映像の録画あるいはコンピュータ・データの蓄積などの分野において普及が進んでいる。
これら記録型ＤＶＤは、光学的に情報の記録再生を行うものであるので、ゴミや汚れの影響を受け易く、その表面にゴミや指紋等が付着していると、安定した記録再生が不能となる場合がある。そこで、何れの記録型ＤＶＤについても、ＤＶＤ収納用のカートリッジが規格で定められており、特にＤＶＤ−ＲＡＭディスクの場合、このようなカートリッジ（以下、適宜、ＲＡＭカートリッジと称する）に収納した状態で使用するタイプのものもある。
【０００４】
また、近年では、高画質放送の開始に伴い、その映像を高画質で録画するためにより大容量の情報記録媒体が求められている。このため、従来の記録型ＤＶＤを記録再生する際に適用される赤色レーザ光よりも波長が短い青色レーザ光を適用することによって記録密度を飛躍的に向上させた、所謂、ブルーレイディスクと称される情報記録媒体（以下、適宜、ＢＤと略称する）の商品化が進められている。
このブルーレイディスクの場合、波長が短い青色レーザ光を適用することで信号がより微細化されて記録密度の向上がもたらされるので、前述したように記録型ＤＶＤと同様にゴミ、汚れ及び指紋等の影響を考慮してカートリッジが検討され、従来の記録型ＤＶＤとは異なる構成のカートリッジ（以下、適宜、ＢＤカートリッジと称する）に収納して用いられる。
【０００５】
この収納カートリッジの顕著な違いとしては、シャッター構成が挙げられる。すなわち、ＲＡＭカートリッジの場合には、図９に示すように収納するＤＶＤ−ＲＡＭディスクの記録層に対向するカートリッジ主面Ｆ２の両側に係合する略コ字型の縦断面形状を有するシャッターＧ２を備え、略コ字型断面形状にシャッターＧ２を連結する連結部Ｇ２ｂがＲＡＭカートリッジＣ２の側面から突出し、当該連結部Ｇ２ｂに記録再生装置のシャッターオープナー（不図示）が係合することで、シャッターＧ２をカートリッジ主面Ｆ２に対して矢印Ｂ−Ｂ方向に摺動させ、シャッターＧ２による一対のカートリッジ主面Ｆ２に備える開口窓（不図示）の開閉動作を行う。
【０００６】
これに対して、図７に示すＢＤカートリッジの場合には、カートリッジ主面Ｆ１の一方の面には開口孔が設けられ、収納したブルーレイディスクが露出しており、他方の面には不図示のシャッターが設けられており、ＢＤカートリッジＣ１の一方の側面Ｓ１から露出するオープナー係合部ｇ１にシャッターオープナー（不図示）が係合することでシャッターが回動し、シャッターによる開口窓ｍ１（図１３参照）の開閉動作を行う。
【０００７】
以上のようにシャッター構成が異なることに起因して、ＲＡＭカートリッジＣ２とＢＤカートリッジＣ１の外形が異なる。すなわち、図１０に示すように、ＲＡＭカートリッジＣ２はシャッターＧ２の連結部Ｇ２ｂがある分だけシャッターＧ２の摺動方向（矢印Ｂ−Ｂ方向）に直交する矢印Ａ−Ａ方向（以下、縦方向と称す）の長さは、ＢＤカートリッジＣ１よりも長くなる。一方ＢＤカートリッジＣ１はシャッター係合部ｇ１がカートリッジＣ１の側面Ｓ１から露出し、当該シャッター係合部ｇ１を回動してシャッターを開閉する構成であるため、矢印Ｂ−Ｂ方向（ＲＡＭカートリッジのシャッターＧ２の摺動方向で、以下幅方向と称す）の長さは、ＲＡＭカートリッジＣ２よりも長い。
【０００８】
さらに、ＢＤカートリッジＣ１の場合、図１３（ａ）及び（ｂ）に示すように、上述のシャッターＧ１がＢＤカートリッジＣ１の内部下側にあるため、図１３（ｃ）のＲＡＭカートリッジＣ２に比べると下側（下ハーフとも称される）の厚みが厚い。このシャッターＧ１は、ＢＤディスクＤがＢＤカートリッジＣ１に収納されているときは、同図（ａ）に示すように、シャッターＧ１がＢＤディスクＤを下側で係止すべく当該ＢＤディスクＤの外周を覆い、ＢＤディスクＤを記録再生するときは、同図（ｂ）に示すように、シャッターＧ１が回動することでＢＤカートリッジＣ１の開口窓ｍ１を開放すべくＢＤカートリッジ外周方向に移動するものである。
【０００９】
また、ＢＤカートリッジＣ１の外周の厚みは、ＲＡＭカートリッジＣ２の外周の厚みに比べ若干（０．２ｍｍ〜０．５ｍｍ）薄い。ところで、カートリッジＣ１，Ｃ２を記録再生装置内に引き込んだ状態では、ＢＤカートリッジＣ１及びＲＡＭカートリッジＣ２に収納されたそれぞれのディスクＤの高さ位置が略同一となるように制御するために、図１０〜図１２及び図１３（ｃ）に示すように、トレイ１０上においてＢＤカートリッジＣ１を直接に載置するＢＤカートリッジ載置面１２ｆ上の適所に、ＲＡＭカートリッジＣ２を載置して支持するための複数（例えば４つ）のＲＡＭカートリッジ載置凸部１２ｐを備えることで、上述のカートリッジＣ１，Ｃ２の下ハーフの厚み差と記録再生状態のディスクＤの高さとを調整している。
【００１０】
尚、ＢＤカートリッジＣ１では、記録再生時などにモータの駆動力で回転するディスク受け部に対しディスクＤをクランプするクランパがカートリッジに内蔵されている構成も提案されているが、クランパ内蔵構成のＢＤカートリッジはクランパ内蔵部分（すなわち、カートリッジ中央部）の厚みが厚くなるだけで、ＢＤカートリッジの外周の厚みはクランパの内蔵の有無によらず同一である。
従って、これらディスクＤを取り扱うディスク装置としては、両方の形式のカートリッジに対応して記録再生を行えるようにすることが求められる。
【００１１】
何れの形式においても、カートリッジＣ１，Ｃ２は、ディスクＤの情報記録層と平行な一対のカートリッジ主面Ｆ１，Ｆ２と、両カートリッジ主面Ｆ１，Ｆ２の外縁部どうしを繋ぐカートリッジ側面Ｓ１，Ｓ２とで、その外形が構成され、樹脂材料を用いて成形加工により製作される。
このカートリッジＣ１，Ｃ２の厚さは、そのコンパクト化のために、主面Ｆ１，Ｆ２等の必要板厚を確保した上で極力薄くなるように設定されているので、記録再生時にディスクＤが回転する際のカートリッジＣ１，Ｃ２内部の隙間はかなり小さくなる。
【００１２】
従って、ディスクＤの記録再生時には、ディスク装置の記録再生機構に対してカートリッジＣ１，Ｃ２を精度良く位置決めする必要がある。また、記録再生時には、ディスクＤの回転に伴ってカートリッジＣ１，Ｃ２にも振動が伝わるので、かかる振動を抑制することが求められる。
このような位置決めと振動抑制のために、カートリッジ移送用のトレイに対して当該カートリッジを押圧するカートリッジ押圧機構（所謂、カートリッジ押さえ）を、ディスク装置に設けることが知られている（例えば、特許文献１参照）。
【００１３】
また、カートリッジは移送用のトレイ上に載置された状態で、ディスク装置内部の記録再生位置と、装置外部のカートリッジ着脱位置との間で往復動可能に移送されるが、この移送に伴って振動が発生するため、移送中においてもカートリッジをトレイに対して押圧することが好ましい。
【特許文献１】特開２００２−３５８７１０号公報
【発明の開示】
【発明が解決しようとする課題】
【００１４】
しかしながら、従来では、カートリッジを押圧する場合、カートリッジの上側の主面を押圧するので、樹脂製のカートリッジ表面に傷が付き易く、とりわけカートリッジの外観性に大きな影響を及ぼす上側主面に傷が付くことになるので、カートリッジの見映えが損なわれるという問題がある。特に、移送中においてもカートリッジを押圧する場合には、カートリッジ上側主面に移送方向の長い傷が付くので、非常に目立ち易くて見映えが大きく損なわれ、また、摩耗粉が発生してディスク装置内部に混入する可能性があるといった問題も生じる。
【００１５】
特に、近年では、樹脂成形品の表面性状に関して、表面の反射を抑制して成形品により高級感を付与する等の目的で、所謂、絞付き成形により、表面に非常に微細な凹凸（絞）を形成することが知られているが、カートリッジにこの絞付き成形を採用した場合には、カートリッジ押圧による傷がより目立ち易く、また、摩耗粉の発生量も非常に多くなるという問題がある。
尚、この絞付き成形では、成形面には上述のような「絞」が形成されるが、面どうしが繋がる稜部や角部の表面まで「絞」付きとした場合には、良好な成形性を確保することが難しいので、これらの部分については、通常の樹脂成形品と同様に表面が平滑なままに保たれる場合が多いことが知られている。
【００１６】
また、ＤＶＤ−ＲＡＭディスクとブルーレイディスクの両方の記録再生に対応するためには、ディスク装置のカートリッジ押圧機構も、ＲＡＭカートリッジとＢＤカートリッジの両方について適正な押圧力で押圧することが求められるが、上述したように両者は厚さや幅寸法が異なるので、カートリッジ押さえをカートリッジ主面Ｆ１やＦ２に対して直交する方向に押圧する構成の場合、ＲＡＭカートリッジを基準にして押圧力を設定すると、ＢＤカートリッジ使用時には押圧力が不足し、一方、ＢＤカートリッジを基準にして押圧力を設定すると、ＲＡＭカートリッジ使用時には押圧力が過剰となり、適正な位置決め及び制振効果を得ることができないという問題があった。
【００１７】
本発明は、かかる従来の技術課題に鑑みてなされたもので、カートリッジ主面の見映えを損なうことが無く、また摩耗粉の発生を抑制でき、更に、ＲＡＭカートリッジとＢＤカートリッジの両方について適正な押圧力で押圧することができるカートリッジ押圧機構を提供し、更に、かかるカートリッジ押圧機構を備えたディスク装置を提供することを、基本的な目的とする。
【課題を解決するための手段】
【００１８】
このため、本願発明に係るカートリッジ押圧機構は、カートリッジに収容された情報記録媒体としてのディスクの記録及び／又は再生を行い得る記録再生位置を有するとともに、前記カートリッジを載置するトレイを前記記録再生位置に対応した第１位置と装置外部の第２位置との間で往復動可能に移送する移送手段を備え、少なくともトレイが前記第１位置にある状態で、カートリッジをトレイに対して押圧するカートリッジ押圧機構であって、ディスクの情報記録層と平行な一対のカートリッジ主面と、両カートリッジ主面の外縁部どうしを繋ぐカートリッジ側面と、で形成されたカートリッジ稜部を押圧することを特徴としたものである。
この構成では、カートリッジは、従来のようにカートリッジ主面ではなく、カートリッジ主面とカートリッジ側面とで形成されたカートリッジ稜部で押圧される。
【００１９】
本願発明に係るカートリッジ押圧機構においては、トレイが前記第２位置から装置内部に引き込まれて前記第１位置に至る移送中においても、カートリッジ稜部を押圧するようにしても良い。
この場合には、カートリッジは、移送中においてもカートリッジ押圧機構でトレイに対して押圧される。
【００２０】
また、前記カートリッジ押圧機構は、カートリッジ押圧時に当該カートリッジ稜部に当接する当接部と、カートリッジ押圧時に該当接部をカートリッジ稜部に対して付勢する付勢手段と、を備えるように構成することができる。
この場合には、当接部と付勢手段とを別物として製作することができる。
【００２１】
更に、前記当接部のカートリッジ稜部に対する接触面は、カートリッジ主面に対して傾斜していることが好ましい。
この場合には、当接部は、カートリッジ主面に対して傾斜した接触面でカートリッジ稜部に対して当接する。
【００２２】
以上の場合において、前記カートリッジ押圧機構におけるトレイは、好ましくは、少なくとも厚さが異なる第１及び第２のカートリッジを選択的に載置させて、前記第１位置と前記第２位置との間で移送可能であり、前記第１及び第２のカートリッジの何れについてもカートリッジ稜部を押圧する。
この構成では、少なくとも厚さが異なる２種類のカートリッジに対応でき、何れのカートリッジについてもカートリッジ稜部で押圧される。
【００２３】
この場合において、少なくとも前記第１の位置において、第１カートリッジの稜部と第２カートリッジの稜部とを押圧する接触面は同一に設定されている、ことが好ましい。
この構成では、当接部のカートリッジ稜部に対する接触面について、１つの接触面で両方のカートリッジ稜部の押圧に対応することができる。
【００２４】
また、本願発明に係るディスク装置は、カートリッジに収容された情報記録媒体としてのディスクの記録及び／又は再生を行い得る記録再生位置を有するとともに、前記カートリッジを載置するトレイを前記記録再生位置に対応した第１位置と装置外部の第２位置との間で往復動可能に移送する移送手段と、トレイが第１の位置においてディスクを回転駆動する回転手段と、ディスクに備える情報記録層に対し情報信号の授受を行う記録再生手段とを備えたディスク装置であって、少なくともトレイが前記第１位置にある状態で、カートリッジをトレイに対して押圧するカートリッジ押圧機構として、以上のカートリッジ押圧機構の何れかを備えたことを特徴としている。
このディスク装置では、カートリッジをトレイに対して押圧するに際して、以上のカートリッジ押圧機構の何れかと同様の作用効果を奏することができる。
【発明の効果】
【００２５】
本願発明に係るカートリッジ押圧機構によれば、カートリッジは、従来のようにカートリッジ主面ではなく、カートリッジ主面とカートリッジ側面とで形成されたカートリッジ稜部を押圧されるので、従来に比して押圧による傷が付き難く、また、押圧時のカートリッジとの接触面積を従来に比して小さくすることができるので、傷が付いても小さな傷で済み、摩耗粉の発生もそれだけ抑制できる。特に、カートリッジの外観性に大きな影響を及ぼすカートリッジ主面に傷を付けることが無く、カートリッジの見映えの低下を効果的に抑制できる。
【００２６】
また、本願発明に係るディスク装置によれば、カートリッジをトレイに対して押圧するに際して、前記カートリッジ押圧機構と同様の作用効果を奏することができるので、カートリッジは、従来に比して押圧による傷が付き難く、また、傷が付いても小さな傷で済み、摩耗粉の発生もそれだけ抑制できる。特に、カートリッジ主面に傷が付くことが無く、カートリッジの見映えの低下が効果的に抑制される。
【発明を実施するための最良の形態】
【００２７】
以下、添付図面を参照しながら、本発明の実施形態について説明する。
図１は、本発明の実施形態に係るディスク装置１の要部を示す斜視図である。この図に示すように、前記ディスク装置１は、全体として直方体の箱状の筐体２と、該筐体２の上側を覆う天板４とを備えている。筐体２の一面には、略長方形状の開口２Ｈが形成されており、この開口２Ｈから、トレイ１０が筐体２の内部に対して進退動できるようになっている（矢印Ｙ１−Ｙ２参照）。このトレイ１０は、その周縁部を構成するフレーム部１１と、該フレーム部１１で囲まれた基底部１２とを備えており、この基底部１２上に、情報記録媒体としてのディスクを収容したカートリッジが載置される。
【００２８】
具体的には図示しなかったが、前記ディスク装置１には、カートリッジを載置するトレイ１０をディスクの記録再生位置に対応した第１位置と、装置１の外部に位置しカートリッジの着脱を行える第２位置との間で往復動可能に移送するトレイ移送機構が設けられている。このトレイ移送機構は、例えば電動モータの動力を利用してトレイ１０の移送を行うもので、従来公知の種々の方式のものを適用することができる。
尚、やはり具体的には図示しなかったが、前記ディスク装置１には、記録再生位置にあるディスクをターンテーブルに対してクランプするためのクランプ機構、及び該クランプ機構によるディスクのクランプ状態とクランプ解除状態とを切り換える切換機構等の、ディスク装置１に必要な種々の機構が設けられている。これら機構としては、従来公知の種々のタイプのものを適用することができる。
【００２９】
また、前記天板４の幅方向（トレイ進退動方向と直交する方向：矢印Ｘ１−Ｘ２方向）における両側端部分の近傍には、トレイ１０の進退動方向（矢印Ｙ１−Ｙ２方向）と平行に延びる、一対のカートリッジ押圧機構２０が組み込まれている。
このカートリッジ押圧機構２０は、少なくともトレイ１０が前記第１位置にある状態で、トレイ１０上に載置されたカートリッジを当該トレイ１０に対して押圧するもので、一対のかかるカートリッジ押圧機構２０を備えることにより、少なくともディスクの記録再生時においては、ディスク装置１の記録再生機構に対してカートリッジを精度良く位置決めし、また、ディスクの回転に伴ってカートリッジに生じる振動を効果的に抑制することができる。
【００３０】
図２及び図３は、図１における矢印Ｘ２方向における天板４の側端部近傍に配置されるものを例にとって、前記カートリッジ押圧機構２０の分解状態および天板４への組付状態をそれぞれ拡大して示す拡大斜視図である。
これらの図に示されるように、カートリッジ押圧機構２０は、後述するようにカートリッジ押圧時に当該カートリッジに当接する当接部としての当接子２３を備えた押圧部材２１と、カートリッジ押圧時に前記当接子２３をカートリッジに対して付勢する付勢手段としてのバネロッド２５とを備えている。
【００３１】
前記押圧部材２１は、所定長さのベース板２２の両端近傍に、前記当接子２３をそれぞれ一体的に備えて構成されている。この一対の当接子２３と前記ベース板２２は、より好ましくは共に合成樹脂製で、一体物として成形されている。
一方、前記バネロッド２５は、例えば所定直径に設定された円形断面の棒状体で、所定の弾性率を有する例えばステンレス鋼などの金属材料で製作されている。このバネロッド２５の長さは、押圧部材２１のベース板２２の全長に略等しいか、好ましくは若干短く設定されている。
【００３２】
この場合、カートリッジ押圧時に当該カートリッジに当接する当接部（当接子２３）と、カートリッジ押圧時に前記当接部をカートリッジに対して付勢する付勢手段（バネロッド２５）とを別物として製作することができ、それぞれに求められる特性の材料を用いて、それぞれに求められる形態で製作することが容易になり、カートリッジ押圧機構２０の設計について、高い自由度を確保することができる。
【００３３】
前記天板４の側端部分の近傍には、押圧部材２１の前記ベース板２２の長手方向の両端近傍に位置する一対の前記当接子２３を挿通させる一対の挿通穴４Ｈが設けられるとともに、カートリッジ押圧機構２０の天板４への組付状態で前記バネロッド２５の上側を係止する一対のバネ係止部２０ｂ（第１バネ押さえ）が、所定距離を隔てて設けられている。
押圧部材２１のベース板２２にも、バネロッド２５の上側を係止する一対のバネ係止部２２ｂ（第２バネ押さえ）が一体形成され、この第２バネ押さえ２２ｂの間隔は、天板４に設けた前記第１バネ押さえ４ｂの間隔よりも、例えば短く設定されている。
【００３４】
天板４の側端部分の近傍に押圧部材２１のベース板２２を載置し、ベース板２２の両端近傍の当接子２３を天板４の前記挿通穴４Ｈから下方へ挿通させ、その状態で、バネロッド２５の両端が当接子２３の上面に位置し、且つ、その途中部が上記第１バネ押さえ４ｂ及び第２バネ押さえ２２ｂで上側から係止されるように、バネロッド２５を組み付ける。
これにより、当接子２３が上下方向に弾性変位できるように、押圧部材２１及びバネロッド２５が天板４に組み付けられる。
【００３５】
本実施形態では、カートリッジ押圧時にカートリッジに当接する当接子２３は、カートリッジ押圧機構２０の天板４への組付時には、トレイ１０の進退動方向（矢印Ｙ１−Ｙ２方向）と平行に延びる押圧部材２１の前記ベース板２２の長手方向の両端近傍に一対に設けられており、その一方は、筐体２の開口２Ｈの比較的近傍に位置している。
【００３６】
従って、トレイ１０が装置１の外部の前記第２位置から装置内部に引き込まれて前記第１位置に至る移送中においても、当該カートリッジをトレイ１０に対して押圧することができる。
これにより、ディスクの記録再生時における振動だけでなく、トレイ１０の移送に伴ってカートリッジに生じる振動の発生をも効果的に抑制することができるのである。
【００３７】
図４は、図１におけるＬ４−Ｌ４線に沿った部分縦断面説明図である。また、図５はカートリッジＣ１又はＣ２をトレイ１０上に載置した状態での図４と同様の部分縦断面説明図、図６は図５において当接子２３とカートリッジＣ１又はＣ２との当接部分を拡大して示す拡大説明図である。
【００３８】
これらの図から良く分かるように、前記当接子２３は、その本体２３ａの上端部分に、本体２３ａよりも外方へ張り出す鍔部２３ｂを有しており、カートリッジ押圧機構２０の天板４への組付状態で、カートリッジＣ１又はＣ２を押圧していない場合には、バネロッド２５の付勢力により、前記鍔部２３ｂの下面が天板４の上面に接している。
そして、カートリッジをトレイ１０に対して押圧する際には、その反作用により、前記バネロッド２５の付勢力に抗して、本体２３ａが天板４の挿通穴４Ｈ内をスライドしながら、上方へ弾性変位するようになっている。
【００３９】
前記当接子２３は、その本体２３ａの先端部分（下端部分）でカートリッジＣ１又はＣ２と（具体的には、後述するようにカートリッジＣ１又はＣ２の稜部Ｒ１又はＲ２と）当接するのであるが、前記本体２３ａのカートリッジ稜部Ｒ１又はＲ２に対する接触面２３ｆは、カートリッジ主面Ｆ１又はＦ２に対して、所定角度の傾斜角β（図６参照）を持って傾斜するように形成されている。
【００４０】
つまり、当接子２３は、カートリッジ主面Ｆ１又はＦ２に対して傾斜した接触面２３ｆでカートリッジ稜部Ｒ１又はＲ２に対して当接する。従って、押圧時におけるカートリッジＣ１又はＣ２との接触状態を、確実に線接触あるいはそれに近い状態とすることができ、接触面積を従来に比して確実に小さくすることができる。これにより、カートリッジＣ１又はＣ２に傷が付いても小さな傷で済み、摩耗粉の発生もそれだけ抑制できる。
尚、図４及び図５には、上面部にターンテーブル部８ａを有するディスク駆動用の電動モータ８の一部が、仮想線で表示されている。
【００４１】
図７〜図９に、前記トレイ１０上に載置される２種類のカートリッジが示されている。
図７は、内部にブルーレイディスク（図６参照）を収納するＢＤカートリッジＣ１の全体斜視図、図８は、該ＢＤカートリッジＣ１の稜部を拡大して模式的に示した拡大斜視図、図９は、内部にＤＶＤ−ＲＡＭディスク（不図示）を収納したＲＡＭカートリジＣ２の全体斜視図である。
また、図１０はＢＤカートリッジＣ１又はＲＡＭカートリッジＣ２を載置したトレイ１０の部分的な平面説明図、図１１は図１０のＬ１１−Ｌ１１矢印方向から見て示した側面説明図、図１２は図１０のＬ１２−Ｌ１２矢印方向から見て示した側面説明図であり、ともにＢＤカートリッジＣ１の外形は想像線で、ＲＡＭカートリッジＣ２の外形は実線で示している。更に、図１３はＢＤカートリッジＣ１内のディスクＤの高さ位置およびＲＡＭカートリッジＣ２内のディスクＤの高さ位置を示す図で、（ａ）はシャッター閉状態におけるトレイ上のＢＤカートリッジ内のシャッター及びディスク位置を示す部分断面説明図、（ｂ）はシャッター開状態におけるトレイ上のＢＤカートリッジ内のシャッター及びディスク位置を示す部分断面説明図、（ｃ）はトレイ上のＲＡＭカートリッジ内のディスク位置を示す部分断面説明図である。
【００４２】
図１３（ｂ）及び図１３（ｃ）に示すように、記録再生装置が備えるスピンドルモータ（回転手段）で回転駆動されるＲＡＭディスクＤとＢＤディスクＤとについて、トレイ１０の基底部１２の上面であるトレイ主面１２ｆ（図ではＢＤカートリッジＣ１を直接に載置させる載置面）からの高さを概ね同一にするために、前述した通り、下ハーフの厚みが厚いＢＤカートリッジＣ１の載置面１２ｆ上の適所複数箇所（本実施形態では、図１０に示すように４箇所）に、所定高さ（０．５ｍｍ〜１．０ｍｍ）を有する凸部１２ｐ（ＲＡＭカートリッジ載置凸部）が設けられており、ＲＡＭカートリッジＣ２はこれらＲＡＭカートリッジ載置凸部１２ｐ上に載置して支持される。このため、元来カートリッジ周縁部の厚みが厚いＲＡＭカートリッジＣ２は、ＢＤカートリッジＣ１に比べるとトレイ上での突出量がさらに大きくなる。なお、図５および図６では、トレイ１０上に載置した状態でブルーレイディスクとＲＡＭディスクとを総称してディスクＤと示している。一方、その幅寸法については、ＢＤカートリッジＣ１の最大幅Ｗ１は、ＲＡＭカートリッジＣ２の最大幅Ｗ２よりも大きくなっている（図１０参照）。
【００４３】
これらＢＤカートリッジＣ１及びＲＡＭカートリッジＣ２は何れも、従来公知のものと同様の構造を備え、同様の作用をなすものであるので、これらの構造の詳細な説明および図示は省略する。
尚、クランパをＢＤカートリッジの内部に内蔵している構成のＢＤカートリッジであっても、前述したようにカートリッジ周縁部の厚みは同一であるため、本発明のカートリッジ周縁部を押圧する押圧機構は、クランパ内蔵の有無に拘わらず有効である。
【００４４】
ＢＤカートリッジＣ１の場合を例にとって説明すれば、図７に示されるように、ＢＤカートリッジＣ１は、ブルーレイディスクの情報記録層と平行な上下一対のカートリッジ主面Ｆ１と、両カートリッジ主面の外縁部どうしを繋ぐカートリッジ側面Ｓ１とで、その外形が構成され、樹脂材料を用いて成形加工により製作されている。
【００４５】
本実施形態では、前記ＢＤカートリッジＣ１は、所謂、絞付き成形により成形されている。そのため、カートリッジ主面Ｆ１の表面には、非常に微細な無数の凹凸（絞）が形成されている。かかる成形法を採用したことにより、ＢＤカートリッジＣ１の表面性状に関して、表面の反射を抑制して成形品により高級感を付与することができ、また、より良好な触感を付与することができる。
【００４６】
ただし、この絞付き成形を行う場合、面どうしが繋がる稜部や角部およびカートリッジ側面Ｓ１の表面まで「絞」付きとした場合には、良好な成形性を確保することが難しいので、これらの部分については、通常の樹脂成形品と同様に表面が平滑なままに保たれている。
つまり、図８に模式的に示すように、カートリッジ主面Ｆ１とカートリッジ側面Ｓ１とを繋ぐカートリッジ稜部Ｒ１およびカートリッジ側面Ｓ１の表面には、微細な凹凸（絞）は形成されておらず平滑なままである。しかしながら、カートリッジ稜部Ｒ１は、カートリッジ主面Ｆ１やカートリッジ側面Ｓ１の面どうしをつなぐ境界であるため、接触面積が狭く、ＢＤカートリッジＣ１を押圧する箇所に適している。尚、これは、特に絞付き成形品に限られたことではなく、通常の成形法を採用した場合についても、一般的に認められる事象である。
【００４７】
以上の説明はＢＤカートリッジＣ１についてのものであったが、ＲＡＭカートリッジＣ２についても、カートリッジ主面Ｆ２と、両カートリッジ主面Ｆ２の外縁部どうしを繋ぐカートリッジ側面Ｓ２とで、その外形が構成され、樹脂材料を用いて成形加工により製作されている。また、カートリッジ主面Ｆ２とカートリッジ側面Ｓ２とは、カートリッジ稜部Ｒ２で繋がれている。尚、このＲＡＭカートリッジＣ２においても、絞付き成形で成形するようにしても良い。
以上のように形状および寸法が異なる２種類のカートリッジＣ１，Ｃ２の何れをも、安定してトレイ１０の基底部１２上に載置することができる。
【００４８】
本実施形態では、前述のように、トレイ１０上に載置されたカートリッジＣ１又はＣ２を、前記カートリッジ押圧機構２０により当該トレイ１０に対して押圧するに際して、従来のように上側のカートリッジ主面Ｆ１又はＦ２ではなく、前記カートリッジ稜部Ｒ１又はＲ２、特にトレイ１０の移送方向（図１のＹ１−Ｙ２矢印方向）と略平行なカートリッジ稜部Ｒ１又はＲ２を押圧するようにしている。
【００４９】
従来のようにカートリッジ主面Ｆ１又はＦ２ではなく、カートリッジ主面Ｆ１又はＦ２とカートリッジ側面Ｓ１又はＳ２とで形成されたカートリッジ稜部Ｒ１又はＲ２で押圧することにより、従来に比して押圧による傷が付き難く、また、押圧時におけるカートリッジＣ１又はＣ２との接触面積を従来に比して小さくすることができるので、傷が付いても小さな傷で済み、摩耗粉の発生もそれだけ抑制できる。特に、カートリッジＣ１又はＣ２の外観性に大きな影響を及ぼすカートリッジ主面Ｆ１又はＦ２に傷を付けることが無く、カートリッジの見映えの低下を効果的に抑制できるのである。
【００５０】
カートリッジＣ１又はＣ２の成形に絞付き成形を採用した場合には、カートリッジ押圧による傷がより目立ち易く、また、摩耗粉の発生量も非常に多くなるのであるが、かかる絞付き成形法で成形した場合において、実際には表面に「絞」が形成されないカートリッジ稜部Ｒ１又はＲ２で押圧するので、摩耗粉の発生抑制や見映えの低下抑制に、とりわけ効果的である。
【００５１】
また、ディスクの記録再生時のみならず、カートリッジＣ１又はＣ２の移送中においても当該カートリッジＣ１又はＣ２をトレイ１０に対して押圧する場合には、前述のように、トレイ１０の移送に伴ってカートリッジＣ１又はＣ２に生じる振動の発生をも効果的に抑制することができるのであるが、その反面、従来のようにカートリッジ主面Ｆ１又はＦ２で押圧したのでは、カートリッジ上側主面Ｆ１又はＦ２に移送方向の長い傷が付き、非常に目立ち易くて見映えが大きく損なわれ、また、摩耗粉の発生量も多くなるのである。
しかし、本実施形態では、カートリッジ移送中に押圧する場合でも、カートリッジ稜部Ｒ１又はＲ２で押圧することにより、カートリッジＣ１又はＣ２の外観性に大きな影響を及ぼすカートリッジ主面Ｆ１又はＦ２に傷を付けることが無く、カートリッジの見映えの低下を効果的に抑制できる。摩耗粉の発生量も少なくて済む。
【００５２】
トレイ１０は、前述のように、上下方向位置が異なる上側および下側の２つのベース面１２ｆ，１２ｐを備えることにより、少なくとも厚さが異なる、更には、前述のように形状および寸法が異なる２種類のカートリッジＣ１，Ｃ２の何れをも安定して載置することができる。
すなわち、このディスク装置１では、少なくとも厚さが異なる２種類のカートリッジＣ１，Ｃ２を選択的にトレイ１０上に載置させて、ディスクの記録再生位置に対応した第１位置と、装置１の外部に在りカートリッジ着脱位置に対応した第２位置との間で、往復させて移送できる。
【００５３】
そして、ディスクの記録再生時だけでなくカートリッジ移送中においてもカートリッジＣ１Ｃ２をトレイ１０の基底部１２に対して押圧し、しかも、２種類のカートリッジＣ１，Ｃ２の何れについても、上側のカートリッジ主面Ｆ１，Ｆ２ではなく、カートリッジ稜部Ｒ１，Ｒ２を押圧するように構成されている。
【００５４】
ブルーレイディスクＢＤとＤＶＤ−ＲＡＭディスク（不図示）の両方のディスクの記録再生に対応するためには、ディスク装置１のカートリッジ押圧機構２０も、ＢＤカートリッジＣ１とＲＡＭカートリッジＣ２の両方について適正な押圧力で押圧することが求められるが、両者は厚さや幅寸法が異なるので、ＲＡＭカートリッジＣ２を基準にして押圧力を設定すると、ＢＤカートリッジＣ１の使用時には押圧力が過剰となって一層傷が付き易く、一方、ＢＤカートリッジＣ１を基準にして押圧力を設定すると、ＲＡＭカートリッジＣ２の使用時には押圧力が不足して、適正な位置決め及び制振効果を得ることができなくなる。
【００５５】
そこで、本実施形態では、カートリッジ押圧機構２０の前記当接子２３のカートリッジ稜部Ｒ１又はＲ２に対する接触面２３ｆは、ＢＤカートリッジＣ１のトレイ載置状態における稜部Ｒ１とＲＡＭカートリッジＣ２のトレイ載置状態における稜部Ｒ２とに接する仮想面Ｐｋと同一になるように、各部の位置や形状および寸法などが設定されている。
換言すれば、この仮想面Ｐｋは、当接子２３の接触面２３ｆと同じく、カートリッジ主面Ｆ１又はＦ２に対して所定角度の傾斜角βを持って傾斜していることになる。
【００５６】
このように設定したことにより、当接子２３のカートリッジ稜部Ｒ１又はＲ２に対する接触面２３ｆについて、１つの接触面２３ｆで両方のカートリッジ稜部Ｒ１又はＲ２の押圧に対応することができる。しかも、当接子２３がカートリッジ稜部Ｒ１又はＲ２を押圧する際には、その反作用により、前記バネロッド２５の付勢力に抗して、本体２３ａが天板４の挿通穴４Ｈ内をスライドしながら上方へ弾性変位するが、この当接子２３の上方への弾性変位量Ｅは、ＢＤカートリッジＣ１を押圧する場合とＲＡＭカートリッジＣ２を押圧する場合とで等しくなり、両場合についてカートリッジＣ１，Ｃ２を同等の弾性力で押圧することができる。
従って、この弾性押圧力を適正な値に設定することにより、ＢＤカートリッジＣ１とＲＡＭカートリッジＣ２の両方について、過不足のない適正な押圧力で押圧することができるのである。
【００５７】
以上、説明したように、本実施形態に係るディスク装置１によれば、トレイ１０上に載置されたカートリッジＣ１又はＣ２を、カートリッジ押圧機構２０により当該トレイ１０に対して押圧するに際して、従来のように上側のカートリッジ主面Ｆ１又はＦ２ではなく、前記カートリッジ稜部Ｒ１又はＲ２を押圧するようにしたことにより、従来に比して押圧による傷が付き難く、また、押圧時におけるカートリッジＣ１又はＣ２との接触面積を従来に比して小さくすることができるので、傷が付いても小さな傷で済み、摩耗粉の発生もそれだけ抑制できる。特に、カートリッジＣ１又はＣ２の外観性に大きな影響を及ぼすカートリッジ主面Ｆ１又はＦ２に傷を付けることが無く、カートリッジの見映えの低下を効果的に抑制することができる。
【産業上の利用可能性】
【００５８】
本発明は、例えば、映像用や音楽用あるいはコンピュータ・データ用等の情報記録媒体としてのディスクを収容したカートリッジを、当該ディスクの記録再生時などにカートリッジ移送用のトレイに対して押圧するカートリッジ押圧機構、及びかかるカートリッジ押圧機構を備えたディスク装置において利用することができ、カートリッジ主面の見映えを損なうことが無く、また摩耗粉の発生を抑制でき、更に、ＲＡＭカートリッジとＢＤカートリッジの両方について適正な押圧力で押圧することができる。
【００５９】
尚、本発明は、以上の実施態様に限定されるものではなく、その要旨を逸脱しない範囲において、種々の変更や改良を加え得るものであることは言うまでもない。
【図面の簡単な説明】
【００６０】
【図１】本発明の実施形態に係るディスク装置の要部を示す斜視図である。
【図２】前記ディスク装置に組み込まれるカートリッジ押圧機構の分解状態を拡大して示す部分拡大斜視図である。
【図３】前記カートリッジ押圧機構の天板への組付状態を拡大して示す部分拡大斜視図である。
【図４】図１におけるＬ４−Ｌ４線に沿った部分縦断面説明図である。
【図５】カートリッジをトレイ上に載置した状態での図４と同様の部分縦断面説明図である。
【図６】図５において当接子とカートリッジとの当接部分を拡大して示す拡大説明図である。
【図７】ＢＤカートリッジの全体斜視図である。
【図８】ＢＤカートリッジの稜部を拡大して模式的に示した拡大斜視図である。
【図９】ＲＡＭカートリッジの全体斜視図である。
【図１０】ＢＤカートリッジ又はＲＡＭカートリッジを載置したトレイの部分的な平面説明図である。
【図１１】図１０におけるＬ１１−Ｌ１１矢印方向からの側面説明図である。
【図１２】図１０におけるＬ１２−Ｌ１２矢印方向からの側面説明図である。
【図１３】（ａ）はシャッター閉状態におけるトレイ上のＢＤカートリッジ内のシャッター及びディスク位置を示す部分断面説明図、（ｂ）はシャッター開状態におけるトレイ上のＢＤカートリッジ内のシャッター及びディスク位置を示す部分断面説明図、（ｃ）はトレイ上のＲＡＭカートリッジ内のディスク位置を示す部分断面説明図である。
【符号の説明】
【００６１】
１  ディスク装置
１０  トレイ
２０  カートリッジ押圧機構
２１  押圧部材
２２  ベース板
２３  当接子
２３ｆ  （当接子の）接触面
２５  バネロッド
Ｃ１  ＢＤカートリッジ
Ｃ２  ＲＡＭカートリッジ
Ｄ  ディスク
Ｆ１，Ｆ２  カートリッジ主面
Ｐｋ  仮想面
Ｒ１，Ｒ２  カートリッジ稜部
Ｓ１，Ｓ２  カートリッジ側面
β  （当接子の接触面の）傾斜角
【図１】
2007310942.tif 000003
【図２】
2007310942.tif 000004
【図３】
2007310942.tif 000005
【図４】
2007310942.tif 000006
【図５】
2007310942.tif 000007
【図６】
2007310942.tif 000008
【図７】
2007310942.tif 000009
【図８】
2007310942.tif 000010
【図９】
2007310942.tif 000011
【図１０】
2007310942.tif 000012
【図１１】
2007310942.tif 000013
【図１２】
2007310942.tif 000014
【図１３】
2007310942.tif 000015